(57)【要約】【課題】利用者からの高い信頼性を維持しつつ、従来装置に比べて待機中の消費電力を更に抑制したファクシミリ装置を提供する。【解決手段】  呼出信号検出部４は、電話回線１７からの呼出信号を検出すると全体制御部１１に対して呼出検出信号を出力する。ラッチングリレー２は、付属電話機３の接続先を、電話回線１７に接続されたリセット端子Ｒと電話回線１７に接続されないセット端子Ｓの間で切り替える構成であり、省エネルギー動作状態の下では付属電話機３の接続先をセット端子Ｓに設定している。全体制御部１１は、省エネルギー動作状態の下では、少なくとも呼出検出信号の受付を含む所定動作のみの実行が可能であり、呼出検出信号を取得すると、必要な電圧が供給されてスリープ状態を脱した後、リレー駆動部１０に対して付属電話機３の接続先をラッチングリレー２のリセット端子Ｒに設定させる。【選択図】        図２
2012239074.tif 000002
【特許請求の範囲】
【請求項１】
電話回線に接続可能に構成された付属電話機及びファクシミリ通信部を備え、通常動作状態と省エネルギー動作状態の間で動作状態の遷移が可能なファクシミリ装置であって、
前記付属電話機の接続先を、前記電話回線に接続された第１端子と前記電話回線に接続されていない第２端子の間で切り替えるラッチングリレーと、
前記ラッチングリレーの接続切替を行うリレー駆動部と、
装置全体の制御を行う全体制御部と、
前記電話回線からの呼出信号を検出すると前記全体制御部に対して呼出検出信号を出力する呼出信号検出部と、
前記ファクシミリ通信部と前記電話回線の間の接続と非接続を切り替えるファクシミリ通信接続切替部と、を備え、
前記全体制御部は、前記省エネルギー動作状態の下では、少なくとも前記呼出検出信号の受付を含む所定動作のみの実行が可能なスリープ状態になるように構成されており、
前記ラッチングリレーは、前記省エネルギー動作状態の下で前記付属電話機の接続先を前記第２端子に設定し、
前記ファクシミリ通信接続切替部は、前記省エネルギー動作状態の下で非接続であり、
前記全体制御部は、前記省エネルギー動作状態の下で前記呼出検出信号を取得すると、必要な電圧が供給されて前記スリープ状態を脱した後、前記リレー駆動部に対して前記付属電話機の接続先を前記ラッチングリレーの前記第１端子に設定させて、動作状態を前記通常動作状態に遷移させることを特徴とするファクシミリ装置。
【請求項２】
前記呼出信号検出部は、前記電話回線からの呼出信号を検出すると前記リレー駆動部に対しても前記呼出検出信号を出力し、
前記リレー駆動部は、先頭の前記呼出検出信号を取得すると前記付属電話機の接続先を前記ラッチングリレーの前記第２端子に設定することを特徴とする請求項１に記載のファクシミリ装置。
【請求項３】
前記全体制御部は、前記スリープ状態にない状況で前記呼出検出信号を所定数連続で取得すると、前記ファクシミリ通信接続切替部を接続させると共に、前記リレー駆動部に対して前記付属電話機の接続先を前記ラッチングリレーの前記第２端子に設定させることを特徴とする請求項１又は２に記載のファクシミリ装置。
【請求項４】
前記通常動作状態の下で前記電話回線と前記ファクシミリ通信部との間で通信が完了すると、前記全体制御部は、前記ファクシミリ通信接続切替部を非接続にし、前記リレー駆動部に対して前記付属電話機の接続先を前記ラッチングリレーの前記第１端子に設定させて、引き続き前記通常動作状態の下で待機することを特徴とする請求項１〜３の何れか１項に記載のファクシミリ装置。
【請求項５】
前記通常動作状態の下で、前記電話回線を介した通信が所定時間行われなかった場合には、前記全体制御部が、前記リレー駆動部に対して前記付属電話機の接続先を前記ラッチングリレーの前記第２端子に設定させて、動作状態を前記省エネルギー動作状態に遷移させることを特徴とする請求項１〜４の何れか１項に記載のファクシミリ装置。
【請求項６】
電源電圧が所定値以上低下した場合に、電圧低下検出信号を前記リレー駆動部に対して出力する電源電圧監視部を備え、
前記リレー駆動部は、前記電圧低下検出信号を取得すると前記付属電話機の接続先を前記ラッチングリレーの前記第１端子に設定することを特徴とする請求項１〜５の何れか１項に記載のファクシミリ装置。
【請求項７】
前記付属電話機のオフフックに伴い、前記リレー駆動部に対してオフフック検出信号を出力するオフフック検出部を備え、
前記リレー駆動部は、前記オフフック検出信号を取得すると前記付属電話機の接続先を前記ラッチングリレーの前記第１端子に設定することを特徴とする請求項１〜６の何れか１項に記載のファクシミリ装置。
【発明の詳細な説明】
【技術分野】
【０００１】
本発明はファクシミリ装置に関し、より詳細には、通常動作状態と省エネルギー動作状態との間で動作状態の遷移が可能に構成されたファクシミリ装置に関する。
【背景技術】
【０００２】
近年、オフィス等で広く使用されているファクシミリ装置の多くは、未使用で待機している時間が所定時間以上経過すると、通常動作状態から消費エネルギーの抑制された省エネルギー動作状態へと自動的に遷移する機能（省エネルギー機能）を有している。省エネルギー動作状態の下では、装置全体の制御部（ＣＰＵ等）に対する電力供給が遮断されており、呼出信号を検知する等の必要最小限の機能のみが実行可能となっている。
【０００３】
ファクシミリ装置は、省エネルギー動作状態の下で電話回線からの呼出信号を検出すると、この呼出信号をトリガとして制御部に対して電源を供給して制御部を動作可能な状態へと移行させる。制御部は、動作可能状態となった後に電話回線から与えられる呼出信号の検出回数を計数する。そして、制御部は、予め定められた回数（ここでは「Ｘ回」とする）をカウントした後、ファクシミリ装置を電話回線に接続させる。これにより、ファクシミリ装置は電話回線を介して受信が可能な状態となる。
【０００４】
ここで、制御部が呼出信号のカウントを開始するのは、制御部が動作可能な状態に移行した後のことである。つまり、制御部を動作可能な状態へと移行するのに利用された先頭の呼出信号は、制御部でカウントされることはない。しかし、この先頭の呼出信号は付属電話機に与えられて付属電話機を鳴動させる。この結果、制御部でＸ回の呼出信号が計数された段階で、付属電話機においては（Ｘ＋１）回の鳴動が生じる。
【０００５】
従来のファクシミリ装置は、制御部が呼出信号をＸ回だけ検出した後に電話回線に接続させる点に関しては、省エネルギー動作状態であっても通常動作状態であっても変わるところはない。すると、通常動作状態の下でファクシミリ装置が電話回線からの呼出信号を検出した場合、この時点において既に制御部が動作可能な状態であるため、制御部においてこの先頭の呼出信号もカウントに入れられる。この結果、通常動作状態の下では、付属電話機においてＸ回の鳴動が生じた時点で、制御部においてＸ回の呼出信号が計数される。
【０００６】
つまり、上記構成の下では、通常動作状態の下で電話回線に接続されるまでに付属電話機が鳴動する回数と、省エネルギー動作状態の下で電話回線に接続されるまでに付属電話機が鳴動する回数との間に１回の差が生じてしまう。このように、ファクシミリ装置が受信状態となるまでに付属電話機が鳴動する回数が一定でない場合、利用者に対してファクシミリ装置への信頼性を失わせる恐れがある。
【０００７】
例えば、Ｘ＝３と設定されていたとすると、このファクシミリ装置は、運転状態に応じて３回の鳴動で電話回線に接続されたり、４回の鳴動で電話回線に接続されたりすることになる。この結果、３回の鳴動で受信可能な状態に移行することに慣れていた利用者にすれば、４回の鳴動を聴取した場合、果たして正しく受信できているのかどうかが不安になる可能性がある。逆に、４回の鳴動で受信可能な状態に移行することに慣れていた利用者にすれば、３回の鳴動を聴取した場合、果たして正しく受信できているのかどうかが不安になる可能性がある。
【０００８】
このような問題点に鑑み、従来、省エネルギー動作状態と通常動作状態で、ファクシミリ装置を電話回線に接続させるまでに制御部において検出すべき呼出信号の回数を予め異ならせたファクシミリ装置が下記特許文献１に提供されている。つまり、通常動作状態の下では、制御部がＸ回の呼出信号を検出するとファクシミリ装置を電話回線に接続させる。一方、省エネルギー動作状態の下では制御部が（Ｘ−１）回の呼出信号を検出するとファクシミリ装置を電話回線に接続させる。かかる構成とした場合、どちらの運転状態の下でも付属電話機がＸ回鳴動した後に、ファクシミリ装置が電話回線に接続されることとなる。
【先行技術文献】
【特許文献】
【０００９】
【特許文献１】特開平１０−２４７９９６号公報
【発明の概要】
【発明が解決しようとする課題】
【００１０】
特許文献１に開示されたファクシミリ装置（以下、「先行装置」と呼ぶ）には、「通常スタンバイ状態」と「省エネスタンバイ状態」の２つのスタンバイ状態が存在する。これらのうち、前者は「通常運転動作状態」、後者は「省エネルギー運転動作状態」に対応している。
【００１１】
この先行装置は、省エネスタンバイ選択スイッチが操作されると、省エネスタンバイ状態に設定される構成である。省エネスタンバイ状態の下では、ＮＣＵ，呼出信号検出回路，オフフック検出回路等に電力が供給される一方、制御回路には電力が供給されない。そして、この先行装置は、付属電話機を鳴動させる「鳴動着信モード」の下では、ＨリレーがＯＮであり、Ｈリレーを引き続けるためにリレーのコイルに電流を流し続ける必要がある（特許文献１の段落［００４３］〜［００４５］，［００４７］、同文献の図２、図３参照）。つまり、この先行装置によれば、省エネスタンバイ状態の下でも無駄な消費電力の発生が余儀なくされており、エネルギー消費量が十分抑制されているとは言い難い。
【００１２】
また、この先行装置は、「省エネスタンバイ選択スイッチ」が操作されることで出力される操作信号に基づき、省エネスタンバイモードへの移行が行われる構成である。従ってこの技術は、未使用で待機している時間が所定時間以上経過した場合に自動的に省エネルギー動作状態へと移行する機能を備えたファクシミリ装置に対しては、上述した問題点の解決をなし得るものではない。
【００１３】
本発明は上記実情に鑑み、利用者からの高い信頼性を維持しつつ、従来装置に比べて待機中の消費電力を更に抑制したファクシミリ装置を提供することを目的とする。
【課題を解決するための手段】
【００１４】
本発明に係るファクシミリ装置は、電話回線に接続可能に構成された付属電話機及びファクシミリ通信部を備え、通常動作状態と省エネルギー動作状態の間で動作状態の遷移が可能な構成であって、
前記付属電話機の接続先を、前記電話回線に接続された第１端子と前記電話回線に接続されていない第２端子の間で切り替えるラッチングリレーと、
前記ラッチングリレーの接続切替を行うリレー駆動部と、
装置全体の制御を行う全体制御部と、
前記電話回線からの呼出信号を検出すると前記全体制御部に対して呼出検出信号を出力する呼出信号検出部と、
前記ファクシミリ通信部と前記電話回線の間の接続と非接続を切り替えるファクシミリ通信接続切替部と、を備え、
前記全体制御部は、前記省エネルギー動作状態の下では、少なくとも前記呼出検出信号の受付を含む所定動作のみの実行が可能なスリープ状態になるように構成されており、
前記ラッチングリレーは、前記省エネルギー動作状態の下で前記付属電話機の接続先を前記第２端子に設定し、
前記ファクシミリ通信接続切替部は、前記省エネルギー動作状態の下で非接続であり、
前記全体制御部は、前記省エネルギー動作状態の下で前記呼出検出信号を取得すると、必要な電圧が供給されて前記スリープ状態を脱した後、前記リレー駆動部に対して前記付属電話機の接続先を前記ラッチングリレーの前記第１端子に設定させて、動作状態を前記通常動作状態に遷移させることを特徴とする。
【００１５】
上記構成によれば、省エネルギー動作状態の下で電話回線より呼出信号が与えられた場合、付属電話機には電話回線が接続されていないため、この呼出信号に起因して付属電話機が鳴動することがない。そして、呼出信号検出部は、この呼出信号を検出すると、全体制御部に対して呼出検出信号を出力する。全体制御部は、省エネルギー動作状態の下でスリープ状態にあるが、呼出検出信号が与えられることでスリープ状態を脱し、リレー駆動部に対して付属電話機の接続先をラッチングリレーの第１端子側に切り替えさせる。これにより、付属電話機の接続先が電話回線側に変更される。よって、この時点以後、付属電話機は、電話回線を通じて与えられる呼出信号に基づいて鳴動することができる。
【００１６】
すなわち、省エネルギー動作状態の下で電話回線から与えられた先頭の呼出信号は、付属電話機を鳴動させることがないため、全体制御部がスリープ状態にある下で付属電話機が鳴動することで利用者に困惑を生じさせるおそれがない。
【００１７】
例えば、付属電話機が鳴動した場合、利用者がこの鳴動に反応して付属電話機をオフフックにすることが考えられる。仮に、この時点で全体制御部がスリープ状態にあるとすれば、利用者がオフフックにした瞬間には装置内部の機能が停止状態であるため、即座には何の音も聞こえなかったり操作不能であったりという事態に陥る可能性がある。しかし、本装置であれば、全体制御部がスリープ状態にある場合には付属電話機が鳴動することがないので、利用者にオフフックを促すおそれが少ない。そして、呼出信号検出部において呼出信号が検出されると、全体制御部がスリープ状態を脱して付属電話機の接続先を電話回線に切り替えるため、呼出があるのにも関わらず付属電話機が全く鳴動しない状態が持続するという事態を招来することもない。
【００１８】
更に本装置は、付属電話機の接続先を電話回線と内部回路との間で切り替えるためのリレーをラッチングリレーで構成している。これにより、リレーに対して電圧を常時印加する必要がなくなるため、従来の装置よりも消費電力を抑制することが可能になる。
【００１９】
本発明に係るファクシミリ装置は、上記の特徴に加えて、
前記呼出信号検出部は、前記電話回線からの呼出信号を検出すると前記リレー駆動部に対しても前記呼出検出信号を出力し、
前記リレー駆動部は、前記省エネルギー動作状態の下で先頭の前記呼出検出信号を取得すると前記付属電話機の接続先を前記ラッチングリレーの前記第２端子に設定することを別の特徴とする。
【００２０】
ラッチングリレーは、端子接続を切り替える際に電圧を供給すればよいため、電圧を常時供給しなくてもよく消費電力量を抑制できるというメリットがある一方、機械的な衝撃を受けて意図せず接続が切り替えられるおそれがあるというデメリットを有している。このため、ラッチングリレーに対して衝撃が与えられて接続が切り替えられ、省エネルギー動作状態であるにも関わらず付属電話機が意図せず電話回線に接続されるおそれがある。この場合、電話回線から呼出信号が与えられると、全体制御部がスリープ状態であるにも関わらず付属電話機が鳴動してしまうという事態が招来する。
【００２１】
上記構成は、このような事態の招来を未然に防ぐことを意図してなされたものである。つまり、本構成によれば、省エネルギー動作状態の下で呼出信号検出部より与えられた先頭の呼出検出信号に基づき、リレー駆動部によって付属電話機が電話回線から強制的に切り離される（第２端子側に接続される）。このため、万一省エネルギー動作状態の下で、意図せず付属電話機の接続先が電話回線側に切り替えられていたとしても、この先頭の呼出検出信号に基づいて一旦付属電話機を電話回線から切り離すことができる。よって、先頭の呼出信号に基づいて付属電話機が鳴動することはない。また、本動作は、先頭の呼出検出信号に基づきリレー駆動部によって直接ラッチングリレーが駆動されるため、全体制御部がスリープ状態にあっても、ラッチングリレーの接続先の切り替えが可能である。
【００２２】
本発明に係るファクシミリ装置は、上記の特徴に加えて、
前記全体制御部は、前記スリープ状態にない状況で前記呼出検出信号を所定数連続で取得すると、前記ファクシミリ通信接続切替部を接続させると共に、前記リレー駆動部に対して前記付属電話機の接続先を前記ラッチングリレーの前記第２端子に設定させることを別の特徴とする。
【００２３】
本装置の上記構成によれば、ファクシミリ装置が通常動作状態にあっても省エネルギー動作状態にあっても、付属電話機を同じ回数だけ鳴動させた後、ファクシミリ通信部と電話回線の通信を開始させることが可能となる。これにより、利用者の信頼性が高いファクシミリ装置が実現される。
【００２４】
全体制御部は、スリープ状態にない状況で呼出検出信号を「Ｘ回」連続で取得したときにファクシミリ通信接続切替部を接続させる構成であるとする。ファクシミリ装置が通常動作状態にあった場合、全体制御部は当然にスリープ状態ではなく、また、電話回線と付属電話機が接続されている。この状況下で電話回線から呼出信号が与えられると、付属電話機は、先頭の呼出信号に基づいて鳴動し、以後、呼出信号が与えられるたびに鳴動を繰り返す。全体制御部はスリープ状態にないため、呼出信号検出部から与えられる最初の呼出検出信号からカウントを開始し、Ｘ回に達した時点でファクシミリ通信接続切替部を接続する。このとき、付属電話機は最初からＸ回目の呼出信号に基づいて鳴動する。つまり、付属電話機がＸ回鳴動した後、ファクシミリ通信が開始される。
【００２５】
次に、ファクシミリ装置が省エネルギー動作状態であり、全体制御部がスリープ状態である場合について検討する。この状況下で電話回線から呼出信号が与えられると、付属電話機はこの時点で電話回線に接続されていないため、先頭の呼出信号に基づいて鳴動することはない。呼出信号検出部は、先頭の呼出信号に基づいて最初の呼出検出信号を全体制御部に与え、これにより全体制御部はスリープ状態を脱する。その後、全体制御部は付属電話機の接続先を電話回線に変更するため、電話回線からの呼出信号に基づいて付属電話機の鳴動が開始される。また、全体制御部は、この時点より後に呼出信号検出部から与えられる呼出検出信号からカウントを開始し、Ｘ回に達した時点でファクシミリ通信接続切替部を接続する。つまり、付属電話機は２回目から（Ｘ＋１）回目の呼出信号に基づいて鳴動することとなる。結果的に、付属電話機がＸ回鳴動した後、ファクシミリ通信が開始される。
【００２６】
また、本発明に係るファクシミリ装置は、上記の特徴に加えて、
前記通常動作状態の下で前記電話回線と前記ファクシミリ通信部との間で通信が完了すると、前記全体制御部は、前記ファクシミリ通信接続切替部を非接続にし、前記リレー駆動部に対して前記付属電話機の接続先を前記ラッチングリレーの前記第１端子に設定させて、引き続き前記通常動作状態の下で待機することを別の特徴とする。
【００２７】
上記構成によれば、ファクシミリ通信が完了した直後においては、全体制御部がスリープ状態にない通常動作状態の下でファクシミリ装置を待機させることができ、利用者からの操作を引き続き受け付ける態勢が保たれる。
【００２８】
また、本発明に係るファクシミリ装置は、上記の特徴に加えて、
前記通常動作状態の下で、前記電話回線を介した通信が所定時間行われなかった場合には、前記全体制御部が、前記リレー駆動部に対して前記付属電話機の接続先を前記ラッチングリレーの前記第２端子に設定させて、動作状態を前記省エネルギー動作状態に遷移させることを別の特徴とする。
【００２９】
上記構成によれば、未使用の状況が所定時間継続したことをもって、自動的に省エネルギー動作状態へと移行することができる。これにより、待機中の消費電力が抑制されるモードに自動的に切り替えられる。
【００３０】
また、本発明に係るファクシミリ装置は、上記の特徴に加えて、
電源電圧が所定値以上低下した場合に、電圧低下検出信号を前記リレー駆動部に対して出力する電源電圧監視部を備え、
前記リレー駆動部は、前記電圧低下検出信号を取得すると前記付属電話機の接続先を前記ラッチングリレーの前記第１端子に設定することを別の特徴とする。
【００３１】
上記構成によれば、停電時においても付属電話機が電話回線と接続されるため、最低限電話機能を確保することができる。
【００３２】
また、本発明に係るファクシミリ装置は、上記の特徴に加えて、
前記付属電話機のオフフックに伴い、前記リレー駆動部に対してオフフック検出信号を出力するオフフック検出部を備え、
前記リレー駆動部は、前記オフフック検出信号を取得すると前記付属電話機の接続先を前記ラッチングリレーの前記第１端子に設定することを別の特徴とする。
【００３３】
上記構成によれば、省エネルギー動作状態の下で付属電話機をオフフックにした場合に、付属電話機を直ちに電話回線に接続させることができ、通話可能な状態を確保することができる。
【発明の効果】
【００３４】
本発明によれば、全体制御部がスリープ状態にある下で電話回線から呼出信号が与えられても、先頭の呼出信号に基づいて付属電話機が鳴動することがない。つまり、全体制御部がスリープ状態にある下で付属電話機が鳴動することがないため、利用者に対する装置への信頼性を高めることができる。また、ラッチングリレーを備える構成としたため、従来の装置よりも消費電力を更に抑制することが可能となる。
【図面の簡単な説明】
【００３５】
【図１】本発明のファクシミリ装置の全体構成を示す概念的ブロック図
【図２】ＮＣＵの具体的構成を示す概念的ブロック図
【図３】ラッチングリレー，リレー駆動部，及び全体制御部の関係を示す概念的ブロック図
【図４】ＮＣＵにおけるタイミングチャートの一例
【図５】第２実施形態のファクシミリ装置の全体構成を示す概念的ブロック図
【図６】第２実施形態のファクシミリ装置が備えるＮＣＵの具体的構成を示す概念的ブロック図
【図７】第２実施形態のラッチングリレー，リレー駆動部，及び全体制御部の関係を示す概念的ブロック図
【図８】第２実施形態のファクシミリ装置が備えるＮＣＵにおけるタイミングチャートの一例
【図９】第２実施形態のファクシミリ装置の全体構成を示す別の概念的ブロック図
【図１０】第２実施形態のラッチングリレー，リレー駆動部，及び全体制御部の関係を示す別の概念的ブロック図
【図１１】第２実施形態のファクシミリ装置が備えるＮＣＵにおけるタイミングチャートの別の一例
【図１２】第２実施形態のファクシミリ装置が備えるＮＣＵにおけるタイミングチャートの更に別の一例
【図１３】第３実施形態のファクシミリ装置の全体構成を示す概念的ブロック図
【図１４】第３実施形態のラッチングリレー，リレー駆動部，及び全体制御部の関係を示す概念的ブロック図
【図１５】第３実施形態のファクシミリ装置が備えるＮＣＵにおけるタイミングチャートの一例
【発明を実施するための形態】
【００３６】
本発明に係るファクシミリ装置（以下、適宜「本装置」と略記する）の実施形態につき、図面を参照して説明する。
【００３７】
〔第１実施形態〕
本装置の第１実施形態（以下、「本実施形態」という）の構成について説明する。
【００３８】
［全体構成］
図１は、本装置の全体構成を示す概念的ブロック図である。なお、図１では、スキャナやプリンタを備えた複合型ファクシミリ装置を想定しているが、本発明は、付属電話機とファクシミリ通信部を備えた装置であれば、このような複合型に限られない。また、図１の構成は一実施例であり、本発明がこの構成に限定されるものではない。
【００３９】
図１に示す本装置１は、リレー駆動部１０，全体制御部１１，ＭＯＤＥＭ１３，ＮＣＵ１５，フラッシュＲＯＭ２３，ＳＤＲＡＭ２５，ＳＲＡＭ２７，操作パネル２９，時計回路３１，ＳＤＲＡＭ３３，統合チップセット３５，スキャナ３７，プリンタ３９，及びネットワークボード４１を備えている。全体制御部１１，ＭＯＤＥＭ１３，フラッシュＲＯＭ２３，ＳＤＲＡＭ２５，ＳＲＡＭ２７，操作パネル２９，時計回路３１，統合チップセット３５は、システムバス７１を介して互いにデータを伝送することができる。
【００４０】
スキャナ３７及びプリンタ３９は、統合チップセット３５に接続されている。スキャナ３７は、例えばＣＣＤ（Charge Coupled Devices）を含む受光部と、複数のＬＥＤを含む発光部とを備え、当該発光部から原稿に向けて照射した光の反射光を受光部で受光することにより、その受光量に基づく画像データを得る。プリンタ３９は、例えば感光体ドラムを含む構成であり、画像読取部３で読み取った原稿の画像データなどに基づく画像を記録紙に形成する。
【００４１】
リレー駆動部１０は、ＮＣＵ１５内に備えられるラッチングリレーを駆動し、接続の切替を行う。リレー駆動部１０の動作説明については後述される。
【００４２】
全体制御部１１は、ＣＰＵ２１を含み、システムバス７１を介して制御信号を与えることで、本装置１の全体的な動作制御を行う。全体制御部１１が行う制御のうち、特に本発明に関連する内容については後述される。
【００４３】
フラッシュＲＯＭ（Read-Only Memory）２３、ＳＤＲＡＭ（Synchronous Dynamic Random Access Memory）２５，３３、及びＳＲＡＭ（Static Random Access Memory）２７は、いずれもデータを記憶しておくための記憶部である。
【００４４】
ＭＯＤＥＭ（Modulator-Demodulator）１３は、ＮＣＵ（Network Control Unit）１５を介して電話回線（公衆電話網）１７に接続される。ＮＣＵ１５は、電話回線１７に接続されている他の外部通信装置（不図示）との間で信号を送受信することができる。例えば、他の外部通信装置から電話回線１７を介して送られてきたデータが、ＮＣＵ１５を介してＭＯＤＥＭ１３に与えられ、所定の信号処理が施された後、プリンタ３９によって紙面上に出力される。これにより、ファクシミリ受信されたデータがプリントアウトされる。
【００４５】
操作パネル２９は、ユーザが操作を行なうための操作部、及びユーザに対して表示を行うための表示部を構成しており、例えばＬＣＤ（Liquid Crystal Display）や操作キー等を備えている。ユーザは、操作キーを操作することにより、本装置１に対して動作設定や動作指示が行える。ＬＣＤには、本装置１の動作状況及び設定内容などを表示することができる。また、ＬＣＤがタッチパネルを含む構成である場合には、ＬＣＤ自体に操作キーとしての機能を付加することも可能である。 
【００４６】
時計回路３１は、計時を行なうためのタイマ部であり、例えばＲＴＣ（Real Time Clock）等により構成される。統合チップセット３５は、複数の集積回路を組み合わせることにより構成されており、スキャナ３７やプリンタ３９、及びネットワークボード４１との間でデータの授受を行う。ＳＤＲＡＭ３３は、統合チップセット３５を介してデータが入出力される記憶部である。
【００４７】
ネットワークボード４１は、ローカルバス７２を介して統合チップセット３９との間でデータを伝送することができる。ネットワークボード４１はＬＡＮ（Local Area Network）４３に接続されており、当該ネットワークボード４１を介して、ＬＡＮ４３に接続されている他の外部通信装置（不図示）との間でネットワーク通信を行なうことができる。
【００４８】
［動作状態に関する説明］
本装置１は、図１に示した各要素に対して動作に必要な電圧が供給される動作状態（以下、「通常動作状態」という）と、通常動作状態よりも消費電力量が抑制された動作状態（以下、「省エネルギー動作状態」という）の間で動作状態の遷移が可能な構成である。ここで、全体制御部１１は、省エネルギー動作状態の下では通常動作状態の場合よりも電圧の供給が制限されており、所定動作のみの実行が可能な状態（以下、「スリープ状態」という）になっている。この「所定動作」には、後述する呼出検出信号の受付動作が含まれる。
【００４９】
上述したように、全体制御部１１は、本装置１の全体の制御を実行する機能部であるため、この全体制御部１１がスリープ状態にある場合、本装置１は、通常運転状態よりも実行可能な動作が限定される。なお、省エネルギー動作状態の下では、操作パネル２９，統合チップセット３５，スキャナ３７，プリンタ３９，ネットワークボード４１等に対しても動作に必要な電圧の供給が停止されるものとしてよい。
【００５０】
従って、本装置１が省エネルギー動作状態にある場合、利用者からの操作指示に基づく動作を可能にするためには、まず全体制御部１１に対して必要な電圧の供給を開始してスリープ状態を脱させなければならない。全体制御部１１がスリープ状態を脱し、必要な電圧が供給されると、ＮＣＵ１５を初めとする他の要素に対する動作制御が可能になる。
【００５１】
［ＮＣＵの詳細構成］
図２は、ＮＣＵ１５の構成を更に詳細に示す概念的ブロック図である。なお、図２には、説明に必要な範囲で、図１に示した他の構成要素についても図示されている。
【００５２】
ＮＣＵ１５は、ラッチングリレー２，付属電話機３，呼出信号検出部４，内部回路５，ファクシミリ通信接続切替部６，及びファクシミリ通信部８を備える。
【００５３】
ラッチングリレー２は、リセットコイル及びセットコイル、固定端子ａ，Ｒ，Ｓ及び可動端子ｂを有して構成される。リレー駆動部１０によってラッチングリレー２が駆動されることで、可動端子ｂの接触先が固定端子ＲとＳの間で切り替えられる。固定端子ａは付属電話機３に接続され、固定端子Ｒ（リセット端子Ｒ）は電話回線１７に接続され、固定端子Ｓ（セット端子Ｓ）は内部回路５に接続される。内部回路５は、電話回線１７から独立した回路である。つまり、リレー駆動部１０によって、ラッチングリレー２の接続切替が行われることで、付属電話機３を電話回線１７に接続したり、逆に電話回線１７から切り離したりすることが可能な構成である。なお、リセット端子Ｒが「第１端子」に対応し、セット端子Ｓが「第２端子」に対応する。
【００５４】
ラッチングリレー２は、電圧が供給されない間、すなわち２つのコイルの双方に電流が流れていない間は、可動端子ｂはリセット端子Ｒかセット端子Ｓの何れかに接触したままの状態を保つ。そして、可動端子ｂの接触先を切り替えたい場合にのみ、リレー駆動部１０が駆動されて一方のコイルに電流を供給して磁性の状態を変化させる。例えば、現時点で可動端子ｂがリセット端子Ｒに接触している場合、全体制御部１１の制御によりリレー駆動部１０がセットコイルに電流を流すことで、可動端子ｂの接触先がセット端子Ｓに変更される。その後はセットコイルへの電流供給を停止しても、可動端子ｂはセット端子Ｓに接触したままの状態が保持される。この後更に、全体制御部１１の制御によりリレー駆動部１０がリセットコイルに電流を流すことで、可動端子ｂの接触先が再びリセット端子Ｒに変更される。その後はリセットコイルへの電流供給を停止しても、可動端子ｂはリセット端子Ｒに接触したままの状態が保持される。
【００５５】
図３は、ラッチングリレー２，リレー駆動部１０及び全体制御部１１の関係を示す概念的ブロック図である。ラッチングリレー２は、セットコイル５１及びリセットコイル５２を有する。セットコイル５１は、リレー駆動部１０内のセットコイル駆動部１８によって駆動され、リセットコイル５２は、リレー駆動部１０内のリセットコイル駆動部１９によって駆動される。図３では、各コイル駆動部１８及び１９としてトランジスタ素子のみを図示しているが、その他の必要な素子を有するものとして構わない。
【００５６】
本実施形態では、リレー駆動部１０は、全体制御部１１からの制御信号によってのみ制御される構成である。すなわち、全体制御部１１からセット制御信号Cont_Sがリレー駆動部１０に供給されると、セットコイル駆動部１８が駆動されてセットコイル５１にセット電流Setが流れ、可動端子ｂの接続先がセット端子Ｓに設定される。また、全体制御部１１からリセット制御信号Cont_Rがリレー駆動部１０に供給されると、リセットコイル駆動部１９が駆動されてリセットコイル５２にリセット電流Resetが流れ、可動端子ｂの接続先がリセット端子Ｒに設定される。つまり、全体制御部１１からの制御信号（Cont_S / Cont_R）に基づいて、ラッチングリレー２の可動端子ｂの接触先が固定端子ＲとＳの間で切り替えられる。
【００５７】
再び図２に戻り、付属電話機３は、本装置１に付属している電話機であり、電話回線１７と接続された状態でオフフック（フックアップ）することで、電話回線１７を介して接続された他の電話機（不図示）との間で音声等の授受が可能な構成である。また、付属電話機３は、電話回線１７と接続されている場合に、電話回線１７より呼出信号が与えられると鳴動を生じさせる機能を有する。
【００５８】
呼出信号検出部４は、電話回線１７からの呼出信号を検出すると、全体制御部１１に対してその旨の呼出検出信号を出力する。呼出信号検出部４は、本装置１が通常動作状態でも省エネルギー動作状態でも動作の実行が可能な構成である。つまり、本装置１が省エネルギー動作状態にある間に、電話回線１７から呼出信号が与えられたとしても、呼出信号検出部４は、呼出信号を検出して呼出検出信号をスリープ状態下の全体制御部１１に出力する。全体制御部１１は、スリープ状態にあっても、この呼出検出信号の受付を行うことが可能な構成である。
【００５９】
図２に示される内部回路５は、電話回線１７からは独立した回路であって、全体制御部１１の制御に基づいて付属電話機３に対して所定の動作を指示するために組み込まれた回路である。一例として、内部回路５に疑似呼出信号を発生させる疑似呼出信号発生回路が含まれるものとしてよい。疑似呼出信号発生回路は、付属電話機３に接続されている状況下で疑似呼出信号を出力すると、疑似呼出信号を受信した付属電話機３に対して鳴動を生じさせる。内部回路５には、その他各種機能を実現するための回路が備えられるものとすることができる。なお、この内部回路５は、本装置１が省エネルギー動作状態の下では、操作パネル２９等と同様に、動作に必要な電圧の供給が停止されるものとしてよい。
【００６０】
ただし、本実施形態において、この内部回路５は、必ずしも全体制御部１１の制御に基づき付属電話機３に対して所定の動作を実現させるための機能を有する必要はない。すなわち、付属電話機３を電話回線１７から切り離す際にラッチングリレー２の接続状態をセット端子Ｓ側に設定した際に、当該セット端子Ｓ側に接続されている素子（群）をもって内部回路５に位置づけても構わない。
【００６１】
ファクシミリ通信接続切替部６は、ファクシミリ通信部８と電話回線１７の間の接続と非接続を切り替えるためのスイッチ回路又はリレー回路であり、全体制御部１１によってその制御が実行される。ファクシミリ通信接続切替部６が接続されている間、電話回線１７とファクシミリ通信部８の間の電気的接続が確保され、ファクシミリ受信が可能になる。ファクシミリ通信部８によって受信されたデータは、ＭＯＤＥＭ１３に送られて、復号処理その他の信号処理が施される。
【００６２】
付属電話機３の接続先が電話回線１７である場合、すなわちラッチングリレー２の可動端子ｂがリセット端子Ｒ側に接続されている場合において、ファクシミリ通信接続切替部６が非接続である場合、電話回線１７より呼出信号が与えられると、ラッチングリレー２を介してこの呼出信号が付属電話機３に与えられ、付属電話機３が鳴動する。付属電話機３は、電話回線１７より呼出信号が与えられる毎に、その呼出信号に基づいて鳴動する。この状態の下で、ファクシミリ通信接続切替部６が接続されると、電話回線１７の出力信号はファクシミリ通信接続切替部６を介して直流ループが形成される。このとき、電話回線１７上の呼出信号は停止するので、付属電話機３は鳴動しなくなる。
【００６３】
［ＮＣＵの動作内容］
次に、タイミングチャートに基づき、ＮＣＵ１５の動作内容について説明する。図４は、本装置１のタイミングチャートの一例である。図４では、時刻ｔ０において本装置１が省エネルギー動作状態にある場合のタイミングチャートが示されている。なお、以下の各図に示すタイミングチャートは、模式的に示したものであり、各時間の長さの比と図面上に図示されている線分の長さの比は必ずしも一致していない。
【００６４】
後述するように、本装置１が省エネルギー動作状態の下では、ラッチングリレー２の可動端子ｂがセット端子Ｓ側に接続され、ファクシミリ通信接続切替部６は非接続状態である。図４のラッチングリレーに関するチャートでは、ラッチングリレー２の可動端子ｂの接続先がリセット端子Ｒである場合を単に「Ｒ」と表記し、セット端子Ｓである場合を単に「Ｓ」と表記している。なお、以下では、表現の簡素化のために、ラッチングリレー２の可動端子ｂの接続先がセット端子Ｓである場合のことを「ラッチングリレー２がセット端子Ｓに接続されている」と記載する。同様に、ラッチングリレー２の可動端子ｂの接続先がリセット端子Ｒである場合のことを「ラッチングリレー２がリセット端子Ｒに接続されている」と記載する
【００６５】
時刻ｔ１において電話回線１７を介して呼出信号が与えられると、この呼出信号が呼出信号検出部４によって検出される。なお、ラッチングリレー２がセット端子Ｓに接続されているため、この呼出信号は付属電話機３に与えられず、付属電話機は鳴動しない。
【００６６】
呼出信号検出部４は、時刻ｔ１において先頭の呼出信号を検出すると、呼出検出信号ｐ０を全体制御部１１に出力する。
【００６７】
全体制御部１１は、この呼出検出信号ｐ０が与えられたことをトリガとしてスリープ状態から脱し、必要な電圧が供給される。これにより全体制御部１１は、各機能部に対する動作制御が可能な状態となる。
【００６８】
呼出信号検出部４は、時刻ｔ２において次の呼出信号を検出すると、呼出検出信号ｐ１を全体制御部１１に出力する。全体制御部１１は、この時点では既にスリープ状態を脱しているため、リセット制御信号Cont_Rをリレー駆動部１０に出力することができる。リレー駆動部１０は、このリセット制御信号Cont_Rに基づいて、リセットコイル５２を駆動してラッチングリレー２の接続先をリセット端子Ｒ側に切り替える。この時刻以後、本装置１は、通常動作状態に遷移される。
【００６９】
なお、図４では、呼出検出信号ｐ１の出力タイミングとリセット制御信号Cont_Rの立ち上がりタイミングが同じであるように図示されているが、両タイミングに時間的なズレが生じていても構わない。例えば、全体制御部１１が最初の呼出検出信号ｐ０の入力を受けてスリープ状態を脱すると、次の呼出検出信号ｐ１の入力を待つことなくリセット制御信号Cont_Rを出力することも可能である。ただし、呼出検出信号ｐ１の入力を検出した後に全体制御部１１がリセット制御信号Cont_Rを出力する構成とすることで、呼出信号ではない何らかの外乱由来の信号を検出した場合に、ラッチングリレー２がリセットＲ側に接続されるのを防止できるという効果が得られる点においてより好適である。
【００７０】
次に、時刻ｔ３において、電話回線１７を介して呼出信号が与えられると、ラッチングリレー２の接続先がリセット端子Ｒであり、付属電話機３と電話回線１７が接続されているため、この呼出信号に基づいて付属電話機３が鳴動する。また、呼出信号検出部４は再度この呼出信号を検出して、呼出検出信号ｐ２を全体制御部１１に出力する。
【００７１】
全体制御部１１は、スリープ状態を脱した後に与えられる呼出検出信号の数が、所定数に達すると、ファクシミリ通信接続切替部６を接続させる制御を行う構成である。以下では、この所定数が２回であるものとして説明するが、この数値はあくまで一例であって、他の数値であっても構わないことは言うまでもない。
【００７２】
時刻ｔ２より前段階で呼出信号検出部４から全体制御部１１に与えられた呼出検出信号ｐ０は、全体制御部１１がスリープ状態の下で与えられたものである。このため、全体制御部１１は、この呼出検出信号ｐ０の入力をもって呼出検出信号の入力回数にはカウントしない。この結果、全体制御部１１は、呼出検出信号ｐ２が与えられた時点で２回目の呼出検出信号が与えられたことを認識し、ファクシミリ通信接続切替部６を接続させる制御（ＯＮ制御）を行う。これにより、時刻ｔ４において、電話回線１７とファクシミリ通信部８とが接続され、ファクシミリ通信が開始される。更に、全体制御部１１は、このタイミングでセット制御信号Cont_Sをリレー駆動部１０に出力し、リレー駆動部１０は、このセット制御信号Cont_Sに基づいて、セットコイル５１を駆動してラッチングリレー２の接続先を再びセット端子Ｓ側に切り替える。これにより、付属電話機３が電話回線１７から切り離され、付属電話機３が操作されても、付属電話機３からの信号がファクシミリ通信信号に混入して通信エラーが発生することを防止できる。
【００７３】
時刻ｔ５においてファクシミリ通信が完了すると、全体制御部１１はリセット制御信号Cont_Rをリレー駆動部１０に出力し、リレー駆動部１０は、このリセット制御信号Cont_Rに基づいて、リセットコイル５２を駆動してラッチングリレー２の接続先を再びリセット端子Ｒ側に切り替える。また、ファクシミリ通信接続切替部６を非接続にする制御（ＯＦＦ制御）を行う。これにより、本装置１は、通常動作状態の下での待機状態に入る。
【００７４】
時刻ｔ５の後、全体制御部１１は未動作の経過時間を計測する。そして、所定時間以上、動作が確認されなかった場合、全体制御部１１は、セット制御信号Cont_Sをリレー駆動部１０に出力し、リレー駆動部１０は、このセット制御信号Cont_Sに基づいて、セットコイル５１を駆動してラッチングリレー２の接続先を再びセット端子Ｓ側に切り替える
（時刻ｔ６）。そして、全体制御部１１は、当該全体制御部１１に対して供給される電力を抑制する指示を行う。これにより、所定動作（呼出検出信号の受付を含む）のみの実現に必要な最低限の電力が供給される状態となる。すなわち、本装置１は、省エネルギー動作状態へと移行され、時刻ｔ０における動作状態と同じになる。これ以後、全体制御部１１はスリープ状態へと移行される。
【００７５】
［まとめ］
以上説明したように、本装置１によれば、省エネルギー動作状態の下で電話回線１７より呼出信号が与えられた場合、付属電話機３には電話回線１７が接続されていない。よって、先頭の呼出信号に起因して付属電話機３が鳴動することはない。呼出信号検出部４は、先頭の呼出信号を検出すると、全体制御部１１に対して呼出検出信号ｐ０を出力する。全体制御部１１は、この呼出検出信号に起因してスリープ状態を脱し、リレー駆動部１０に対してリセット制御信号Cont_Rを出力してラッチングリレー２の接続先をリセット端子Ｒに設定する。これにより、付属電話機３の接続先が電話回線１７に変更され、これ以後、電話回線１７を通じて与えられる呼出信号に基づき、付属電話機３が鳴動する。
【００７６】
全体制御部１１は、スリープ状態を脱した後、所定数（ここでは２回）の呼出検出信号が入力されたことを確認し、ファクシミリ通信部８を電話回線１７に接続すると共に、リレー駆動部１０に対してセット制御信号Cont_Sを出力する。これにより、ラッチングリレー２の接続先がセット端子Ｓに設定され、付属電話機３が電話回線１７から切り離される。これにより、付属電話機３において２回の鳴動の後、自動的にファクシミリ受信状態へと移行されることとなる。
【００７７】
ここで、本装置１が通常動作状態の下で電話回線１７を介して呼出信号が与えられた場合を考える。この場合、全体制御部１１は当然にスリープ状態ではなく、また、ラッチングリレー２はリセット端子Ｒ側に接続されており、電話回線１１と付属電話機３が接続される。この状況下で電話回線１７から呼出信号が与えられると、付属電話機３は、先頭の呼出信号に基づいて鳴動し、以後、呼出信号が与えられるたびに鳴動を繰り返す。全体制御部１１は、スリープ状態にないため、呼出信号検出部４から与えられる最初の呼出検出信号からカウントを開始し、２回に達した時点でファクシミリ通信部８を電話回線１７に接続すると共に、リレー駆動部１０に対してセット制御信号Cont_Sを出力してラッチングリレー２の接続先をセット端子Ｓに設定する。これにより、付属電話機３が電話回線１７から切り離される。つまり、この場合においても、付属電話機３において２回の鳴動の後、自動的にファクシミリ受信状態へと移行されることとなる。
【００７８】
よって、本装置１によれば、通常動作状態の下でも省エネルギー動作状態の下でも、同じ回数だけ付属電話機３を鳴動させた後に自動的にファクシミリ通信を可能にすることができる。
【００７９】
また、本装置１は、付属電話機３の接続先を切り替える手段としてラッチングリレー２を用いているため、接続先を変更するタイミングでのみ電圧を印加すればよく、従来の装置よりも消費電力を抑制することが可能になる。
【００８０】
〔第２実施形態〕
本装置の第２実施形態（以下、「本実施形態」という）の構成について説明する。なお、以下の各実施形態においては、第１実施形態と共通する部分については説明を省略する。
【００８１】
図５は、本実施形態における本装置の全体構成を示す概念的ブロック図である。また、図６は、本実施形態のファクシミリ装置が備えるＮＣＵの具体的構成を示す概念的ブロック図である。また、図７は、本実施形態におけるラッチングリレー２，リレー駆動部１０，及び全体制御部１１の接続関係を示す概念的ブロック図である。
【００８２】
本実施形態は、第１実施形態と比較して、ＮＣＵ１５からリレー駆動部１０に対して信号が送られる点が異なる。より詳細には、呼出信号検出部４からの呼出検出信号が、全体制御部１１に加えてリレー駆動部１０にも供給される点が第１実施形態の構成とは異なっている。更に詳細には、図７に示すように、リレー駆動部１０内のセットコイル駆動部１８は、全体制御部１１から出力されるセット制御信号Cont_Sと、呼出信号検出部４から出力される呼出検出信号の双方が入力可能な構成である。そして、リレー駆動部１０は、セレクタ回路５５が有効化されている場合においては、少なくとも一方の信号が入力されると、セットコイル５１を駆動してラッチングリレー２の接続先をセット端子Ｓ側に切り替える構成である。他方、セレクタ回路５５が無効化されている場合においては、呼出検出信号に依存せず、単にセット制御信号Cont_Sに基づいてセットコイル５１を駆動する。
【００８３】
なお、セレクタ回路５５は、全体制御部１１から与えられる信号Sel_Sによって、有効化／無効化を選択できる構成である。
【００８４】
第１実施形態の構成において、本装置１は、通常動作状態から省エネルギー動作状態に移行する際、全体制御部１１からの制御によってリレー駆動部１０が駆動され、ラッチングリレー２の接続先がセット端子Ｓに設定される。これ以後、全体制御部１１がスリープ状態に入ると、ラッチングリレー２の接続先を変更する制御が行われない。従って、省エネルギー動作状態の下では、ラッチングリレー２がセット端子Ｓに接続されているのが通常である。
【００８５】
ラッチングリレー２は、端子接続を切り替える際に電圧を供給すればよいため、電圧を常時供給しなくてもよく消費電力量を抑制できるというメリットがある。しかしながら、ラッチングリレー２には、機械的な衝撃を受けて意図せず接続が切り替えられるおそれがあるというデメリットも存在する。つまり、ラッチングリレー２に対して衝撃が与えられることで接続が切り替えられ、省エネルギー動作状態であるにも関わらずリセット端子Ｒに接続されて付属電話機３が意図せず電話回線１７に接続されるおそれがある。この場合、電話回線１７から呼出信号が与えられると、全体制御部１１がスリープ状態であるにも関わらず付属電話機３が鳴動してしまう。本実施形態の構成は、このような事態の招来を防ぐことを意図してなされたものである。
【００８６】
本実施形態の装置の具体的な動作につき、図８のタイミングチャートを参照して説明する。第１実施形態の構成と同様に、呼出信号検出部４は、時刻ｔ１において先頭の呼出信号を検出すると、呼出検出信号ｐ０を出力する。このとき、当該呼出検出信号ｐ０は、全体制御部１１のみならず、リレー駆動部１０に対しても供給される。リレー駆動部１０は、呼出検出信号ｐ０に基づいて、セット電流Setを流してセットコイル５１を駆動し、ラッチングリレー２の接続先をセット端子Ｓ側に強制的に設定する。これにより、省エネルギー動作状態の下で万一ラッチングリレー２がリセット端子Ｒに接続されていても、いったん付属電話機２を電話回線１７から切り離すことができる。図８に示すタイミングチャートは、時刻ｔ０において、省エネルギー動作状態であるにも関わらず、意図せずラッチングリレー２がリセット端子Ｒに接続されている場合が想定されている（図８において「省エネ（エラー）」と記載）。図８によれば、時刻ｔ１において、セット電流Setが流れてラッチングリレー２の接続先がセット端子Ｓに切り替えられている。
【００８７】
なお、省エネルギー動作状態の下でラッチングリレー２が正しくセット端子Ｓに接続されている場合、ラッチングリレー２にセット信号が与えられても接続関係が切り替えられることはない。
【００８８】
全体制御部１１は、呼出検出信号ｐ０の供給を受けてスリープ状態を脱すると、信号Sel_Sを出力し、セレクタ回路５５を無効化する。これ以後、呼出検出信号が全体制御部１１に供給されても、これに基づいてリレー駆動部１０からセット信号が出力されることはなくなる。図８では、呼出検出信号ｐ１，ｐ２のタイミングにおいて、セット電流SetがＨレベルに変化しないことを、破線にて表示している。
【００８９】
そして、時刻ｔ５においてファクシミリ通信が終了すると、全体制御部１１は再び信号Sel_Sのレベルを変化させて、セレクタ回路５５を有効化する。これにより、このタイミング以後においては、呼出検出信号に基づいてセット電流Setを流すことが可能となる。
【００９０】
すなわち、本構成においては、通常動作状態の下でセレクタ回路５５が無効化され、省エネルギー動作状態における待機時においては、セレクタ回路５５が有効化される。図８においては、呼出検出信号ｐ０を受けてスリープ状態を脱した後、時刻ｔ５までの間において、全体制御部１１からＨレベルの信号Sel_Sが出力され続けているように図示されているが、これはあくまで一形態であって、かかる構成に限定されるものではない。別の例として、セレクタ回路５５としてフリップフロップ等のラッチ機能を有する構成で実現した場合においては、セレクタ回路５５を有効化／無効化するタイミングに合わせて「Ｈ」レベルの信号Sel_Sを全体制御部１１が出力する構成とすることができる。
【００９１】
図８において、その他の動作については、図４のタイミング図と同じであるため説明を割愛する。
【００９２】
［第２実施形態の別構成例］
更に、図９に示すように、ＮＣＵ１５において、付属電話機３のオフフックを検出するオフフック検出部７を備える構成としてもよい。図９の構成では、オフフック検出部７が付属電話機のオフフックを検出すると、オフフック検出信号をリレー駆動部１０及び全体制御部１１に出力する。また、図６の構成と比較した場合、リレー駆動部１０は、更に信号Sel_Rが全体制御部１１より入力される構成である。この構成の下でのラッチングリレー２，リレー駆動部１０，及び全体制御部１１の接続関係を、概念的ブロック図として図１０に示す。
【００９３】
図１０に示される構成では、図７と比較してリレー駆動部１０内のリセットコイル駆動部１９が異なっている。より詳細には、リセットコイル駆動部１９は、全体制御部１１から出力されるリセット制御信号Cont_Rと、オフフック検出部７から出力されるオフフック検出信号の双方が入力可能な構成である。そして、リレー駆動部１０は、セレクタ回路５７が有効化されている場合においては、少なくとも一方の信号が入力されると、リセットコイル５２を駆動してラッチングリレー２の接続先をリセット端子Ｒ側に設定する。他方、セレクタ回路５７が無効化されている場合においては、オフフック検出信号に依存せず、単にリセット制御信号Cont_Rに基づいてリセットコイル５２を駆動する。
【００９４】
そして、セレクタ回路５７は、全体制御部１１から与えられる信号Sel_Rによって、有効化／無効化を選択できる構成である。
【００９５】
図１１は、図８と同様に図示したタイミングチャートであり、ファクシミリ通信がなされる場合について示したものである。なお、図１１では、省エネルギー動作状態である時刻ｔ０においてラッチングリレー２が正しくセット端子Ｓに接続されているものとして図示している。以後のタイミングチャートにおいても同様としている。
【００９６】
全体制御部１１は、呼出検出信号ｐ０を受けてスリープ状態を脱すると、信号Sel_Sと共にSel_Rについても出力し、これによって、セレクタ回路５５及び５７は無効化される。
【００９７】
かかる構成としたことで、仮にファクシミリ通信中（時刻ｔ４とｔ５の間）に、利用者によって付属電話機３のフックが上げられた場合、オフフック検出部７がオフフック検出信号ｑ１を出力しても、この間はセレクタ回路５７が無効化されている。よって、この信号に基づいてリセットコイル制御部１９がリセットコイル５２を駆動することはない。図１１では、前記のオフフック検出信号ｑ１のタイミングにおいて、リセット電流ResetがＨレベルに変化しないことを、破線にて表示している。
【００９８】
次に、利用者が付属電話機３を用いて通話する場合について検討する。図１２は、省エネルギー動作状態の下で着信があった場合に、利用者が付属電話機３をオフフックにして呼び出しに応じた場合におけるタイミングチャートである。なお、時刻ｔ２までは、図１１と同じ制御が行われるため説明を省略する。時刻ｔ２において電話回線１７を介した呼出に基づいて付属電話機３が鳴動する。そして、次の呼出信号が与えられるより前の時刻（時刻ｔ２１）において、利用者が付属電話機３をオフフック状態にした場合を想定する。
【００９９】
上述したように、最初の呼出検出信号ｐ０が入力され、スリープ状態を脱した全体制御部１１は、その後にリセット制御信号Cont_Rを出力して、ラッチングリレー２の接続先をリセット端子Ｒ側に切り替える。この状態の下、時刻ｔ２１において付属電話機３がオフフック状態となると、オフフック検出部７からオフフック検出信号がリレー駆動部１０及び全体制御部１１に与えられる。
【０１００】
なお、図１１を参照して説明したように、この時点において信号Sel_RがＨレベルになっており、セレクタ回路５７が無効化されている。このため、オフフック検出信号に基づいてリセット電流Resetが流れるということはない。しかし、フックが上げられている間、ラッチングリレー２はリセット端子Ｒ側に維持されたままであり、この間通話が可能な状態が維持される。
【０１０１】
時刻ｔ２２において通話が終了し、付属電話機３がオンフック状態に戻ると、オフフック検出信号の出力が停止される。全体制御部１１は、このオンフック状態に戻ったことを検出すると、再び信号Sel_S，Sel_Rのレベルを変化させて、セレクタ回路５５及びセレクタ回路５７を有効化する。これにより、このタイミング以後においては、呼出検出信号に基づいてセット電流Setを流すことが可能となり、同様にオンフック検出信号に基づいてリセット電流Resetを流すことが可能となる。そして、所定時間が経過すると省エネルギー動作状態へと移行される（時刻ｔ２３）。
【０１０２】
なお、省エネルギー動作状態の下で待機している場合、正常時にはラッチングリレー２はセット端子Ｓ側に接続されており、付属電話機３は電話回線１７から切り離されている。この構成の下で、利用者が付属電話機３を用いて通話をすべく、付属電話機３をオフフックにした場合、上述したように、セレクタ回路５７が有効化されているため、オフフック検出信号がリレー駆動部１０のリセットコイル駆動部１９に与えられる。リセットコイル駆動部１９は、リセット電流Resetを流してリセットコイル５２を駆動し、ラッチングリレー２の接続先がリセット端子Ｒ側に設定される。これにより、付属電話機３は電話回線１７と接続され、通話（通話発信）が可能な状態となる。
【０１０３】
なお、このとき、全体制御部１１は、オフフック検出信号の入力によってスリープ状態を脱した後、図１２と同様に信号Sel_Rのレベルを変化させて、セレクタ回路５７を無効化するものとして構わない。
【０１０４】
その後、利用者が通話を終了して、フックを元の位置に戻すと、図１２の時刻ｔ２２と同様の状態となる。これ以後は、通常動作状態の下での待機状態となる。そして、更に所定時間が経過すると省エネルギー動作状態へと移行される。
【０１０５】
〔第３実施形態〕
本装置の第３実施形態（以下、本実施形態という）の構成について説明する。図１３に示すように、本実施形態では、電源部８１からの出力電圧を監視する電源電圧監視部８３を備えている。この電源電圧監視部８３は、電源部８１からの出力電圧が一定値以上低下したことを検出すると、その旨の「電圧低下検出信号」を、リレー駆動部１０及び全体制御部１１に出力する構成である。なお、電源部８１は、本装置１を動作させるための電源電圧を生成して、本装置１内の必要な箇所に対して供給しており、例えば、商用電源から電源電圧を生成するための電源回路で構成される。電源部８１については、上記第１及び第２実施形態では図示を省略していたが、当然に備えているものとしてよい。
【０１０６】
なお、図１３に示す構成では、図９と同様に全体制御部１１からリレー駆動部１０に対してセレクタ回路用の信号Sel_S，Sel_Rが出力される。
【０１０７】
図１４は、本実施形態におけるラッチングリレー２，リレー駆動部１０，及び全体制御部１１の接続関係を示す概念的ブロック図の一例である。
【０１０８】
本実施形態では、リレー駆動部１０に対して電源電圧監視部８３からの電圧低下検出信号が入力されると、リセットコイル５２が駆動されて強制的にラッチングリレー２がリセット端子Ｒ側に接続される構成である。なお、他の制御内容については、第１又は第２実施形態で上述した内容であり、説明を省略する。
【０１０９】
図１５は、本実施形態の下で、省エネルギー動作状態下で停電が生じた場合におけるタイミングチャートである。省エネルギー動作状態の下で停電が生じると、電源電圧監視部８３は、電源部８１からの出力電圧が一定値以上低下したことを検出して、電圧低下検出信号を出力する（時刻ｔ３１）。リレー駆動部１０のリセットコイル駆動部１９は、この電圧低下検出信号に基づいてリセットコイル５２を駆動する。これにより、ラッチングリレー２は、リセット端子Ｒ側に設定され、付属電話機３が電話回線１７に接続された状態となる。図１５では、時刻ｔ３２において完全に停電状態になった場合を想定している。このとき、電圧低下検出信号も出力されず、リセットコイル５２にもリセット電流Resetは流れなくなる。
【０１１０】
停電状態においては、リレー駆動部１０や全体制御部１１は完全に停止された状態である。しかし、この時点で付属電話機３は電話回線１７に接続されているため、電話機能については確保することが可能である。すなわち、本実施形態の構成によれば、停電等の非常事態においても、最低限、電話通話の機能を確保することができる。
【０１１１】
なお、図１５では、電圧低下検出信号がリレー駆動部１０及び全体制御部１１に対して出力される構成としているが、少なくともリレー駆動部１０に対して出力される構成であればよい。
【０１１２】
〔別実施形態〕
システムに致命的なエラーが生じた場合、全体制御部１１が、リレー駆動部１１に対してセット制御信号Cont_Sを出力して、ラッチングリレー２を強制的にセット端子Ｓに接続する制御を行ってもよい。このような構成とすることで、システムエラーが生じている間に付属電話機３を電話回線１７から確実に切り離すことができ、電話回線１７との間の通信を遮断できる。
【符号の説明】
【０１１３】
１：  ファクシミリ装置
２：  ラッチングリレー
３：  付属電話機
４：  呼出信号検出部
５：  内部回路
６：  ファクシミリ通信接続切替部
７：  オフフック検出部
８：  ファクシミリ通信部
１０：  リレー駆動部
１１：  全体制御部
１３：  ＭＯＤＥＭ
１５：  ＮＣＵ
１７：  電話回線
１８：  セットコイル駆動部
１９：  リセットコイル駆動部
２１：  ＣＰＵ
２３：  フラッシュＲＯＭ
２５：  ＳＤＲＡＭ
２７：  ＳＲＡＭ
２９：  操作パネル
３１：  時計回路
３３：  ＳＤＲＡＭ
３５：  統合チップセット
３７：  スキャナ
３９：  プリンタ
４１：  ネットワークボード
４３：  ＬＡＮ
５１：  セットコイル
５２：  リセットコイル
５５：  セレクタ回路
５７：  セレクタ回路
６０：  リレー制御部
７１：  システムバス
７２：  ローカルバス
８１：  電源部
８３：  電源電圧監視部
【図１】
2012239074.tif 000003
【図２】
2012239074.tif 000004
【図３】
2012239074.tif 000005
【図４】
2012239074.tif 000006
【図５】
2012239074.tif 000007
【図６】
2012239074.tif 000008
【図７】
2012239074.tif 000009
【図８】
2012239074.tif 000010
【図９】
2012239074.tif 000011
【図１０】
2012239074.tif 000012
【図１１】
2012239074.tif 000013
【図１２】
2012239074.tif 000014
【図１３】
2012239074.tif 000015
【図１４】
2012239074.tif 000016
【図１５】
2012239074.tif 000017